(57)【要約】  インレット構造体（６３）を、プラグ部（６５）がインレット（６３ａ）に差し込まれた場合、着脱式電源コード（６１）のプラグ部（６５）及びブッシュ（６２）が、本体（１）の底面の投影面内に収まるように配置することで、プラグ部に接続されているコードの根元部（接続部分）に汚れが付着するリスクを軽減できるようにする。
2013062064.tif 000002
【特許請求の範囲】
【請求項１】
調理物が入れられる内釜を収容する本体と、
該本体の底面側に接続され、外部電源から前記本体への電源供給を媒介する電源コードと、
を備え、
該電源コードの前記本体への接続部分が、前記本体の底面の投影面内に収まる
ことを特徴とする炊飯器。
【請求項２】
前記本体の底面は、略矩形状であり、
前記電源コードは、前記本体の底面の角部近傍に接続され、
前記電源コードの前記本体への接続方向が、前記本体の幅方向及び奥行き方向の双方に対して傾斜した方向である
ことを特徴とする請求項１記載の炊飯器。
【請求項３】
前記電源コードは、前記本体に着脱自在に接続されるプラグ部、該プラグ部に接続されたコード部、及び、前記プラグ部と前記コード部との接続部分に取り付けられたブッシュによって構成された着脱式電源コードであり、
前記本体の底面には、前記プラグ部が差し込まれて接続されるインレットが形成され、
前記プラグ部が前記インレットに接続された場合、前記プラグ部及び前記ブッシュが、前記本体の底面の投影内面内に収まる
ことを特徴とする請求項１又は請求項２記載の炊飯器。
【発明の詳細な説明】
【技術分野】
【０００１】
本発明は、炊飯器に関し、特に、炊飯器本体への電源コードの接続構造に関する。
【背景技術】
【０００２】
従来の炊飯器として、ヒーターに電源を供給する電源プラグ接続装置に電源プラグを挿入して接続し、電源プラグを電源プラグ接続装置に挿入したとき、電源プラグの挿入状態を確認できる視認用リブを設けたものがある（例えば、特許文献１）。
【先行技術文献】
【特許文献】
【０００３】
【特許文献１】特開２００５−３０４８９５号公報（第３−４頁、図１）
【発明の概要】
【発明が解決しようとする課題】
【０００４】
しかしながら、上記の特許文献１においては、電源プラグの接続部分が、本体の外郭付近に設けてあるので、電源プラグに接続されているコードの根元部（接続部分）に少なからず、折り曲げによるストレスがかかり、果てにはコードが傷んで、ショートしたり、炊飯器本体の故障を招来するという問題点があった。
また、電源プラグに接続されているコードの根元部（ブッシュ等）が、炊飯器本体の外郭から外部に飛び出している構造であるため、その根元部の上部に、ご飯がこぼれ落ちたり、炊飯時において水がこぼれたり、あるいは、不使用時においても埃等が堆積する等の常に汚れに対してのリスクが存在するという問題点があった。【０００５】
本発明は、上記のような課題を解決するためになされたもので、第１の目的は、プラグ部に接続されているコードの根元部（接続部分）に汚れが付着するリスクを軽減する炊飯器を得ることである。
また、第２の目的は、電源コードの折り曲げによるストレスを軽減する炊飯器を得ることである。
【課題を解決するための手段】
【０００６】
本発明に係る炊飯器は、調理物が入れられる内釜を収容する本体と、該本体の底面側に接続され、外部電源から前記本体への電源供給を媒介する電源コードと、を備え、該電源コードの前記本体への接続部分が、前記本体の底面の投影面内に収まるものである。
【発明の効果】
【０００７】
本発明によれば、電源コードの本体への接続部分が本体の底面の投影面内に収まるので、その接続部分にご飯又は水がこぼれ落ちたりすることによる汚れが発生することを抑制することができ、汚れに対するリスクを軽減することができる。
【図面の簡単な説明】
【０００８】
【図１】本発明の実施の形態１に係る炊飯器の外観斜視図である。
【図２】本発明の実施の形態１に係る炊飯器の蓋２が開いた状態を示す図である。
【図３】本発明の実施の形態１に係る炊飯器の底面図、かつ、着脱式電源コード６１が接続された状態を示す図である。
【図４】本発明の実施の形態１に係る炊飯器の底面図、かつ、着脱式電源コード６１が取り外された状態を示す図である。
【図５】本発明の実施の形態１に係る炊飯器の底面図におけるインレット構造体６３周辺部の拡大図である。
【発明を実施するための形態】
【０００９】
実施の形態１．
（炊飯器の概略構成）
図１は、本発明の実施の形態１に係る炊飯器の外観斜視図であり、図２は、同炊飯器の蓋２が開いた状態を示す図である。以下、図１及び図２を参照しながら、本実施の形態に係る炊飯器の構成の概略について説明する。
【００１０】
図１で示されるように、本実施の形態に係る炊飯器の本体１は、炊飯器の上面を覆う蓋２と、炊飯器の中部の外郭を形成し、図２において後述する内釜１１、及び、その内釜１１を誘導加熱する加熱コイル（図示せず）等を内包する本体側面ケース７と、その本体側面ケース７の下部に設置され、本体１を支える本体底面ケース８とを有する。
【００１１】
本体１は、略直方体の形状を呈している。
【００１２】
蓋２は、図２で示されるように、本体１の後部側において、本体側面ケース７に回動自在に連結されている。また、蓋２は、その前面に蓋開きボタン５、上面に操作部４及び表示部６、並びに下面に内蓋１４（図２参照）を有している。
【００１３】
蓋開きボタン５は、使用者により押下されることによって、蓋２を開状態にするためのものである。
操作部４は、内釜１１に投入された米等の調理物に対する炊飯工程等を開始させるためのものである。この操作部４は、使用者によって操作されることによって、操作信号を生成し、その操作信号を本体１内に設置されている制御基板（図示せず）に送信する。
表示部６は、前述の炊飯工程の進捗状況の表示、時計表示、及び異常表示等をするものである。
内蓋１４は、蓋２が閉状態の場合に、内釜１１の開口部を覆うものである。
【００１４】
図２で示されるように、本体側面ケース７には、着脱自在に内釜１１が収納可能となっている。使用者によって、この内釜１１に米等の調理物を投入し、蓋２を閉状態とし、操作部４において炊飯開始操作がなされることによって、炊飯工程が実施される。この炊飯工程の際、内釜１１は、前述したように、加熱コイル（図示せず）から誘導加熱を受け、投入された調理物の調理が実施される。
【００１５】
（炊飯器のインレット構造体６３の構成及び着脱式電源コード６１の接続態様）
図３は、本発明の実施の形態１に係る炊飯器の底面図、かつ、着脱式電源コード６１が接続された状態を示す図であり、図４は、同炊飯器の底面図、かつ、着脱式電源コード６１が取り外された状態を示す図であり、そして、図５は、同炊飯器の底面図におけるインレット構造体６３周辺部の拡大図である。以下、図３〜図５を参照しながら、本実施の形態に係る炊飯器のインレット構造体６３の構成及び着脱式電源コード６１の接続態様について説明する。
【００１６】
図３及び図４で示される炊飯器において、図面上の上側部分が当該炊飯器の前部であり、下側部分が当該炊飯器の後部である。図３〜図５で示されるように、本実施の形態に係る炊飯器の底面は本体底面ケース８によって形成されており、この本体底面ケース８に着脱式電源コード６１を差し込むためのインレット構造体６３が設置されている。
【００１７】
着脱式電源コード６１は、本実施の形態に係る炊飯器に対して外部からの電源供給を媒介するものであり、プラグ部６５、コード部６４及びブッシュ６２によって構成されている。
【００１８】
プラグ部６５は、後述するインレット構造体６３のインレット６３ａに着脱自在に差し込む部分であり、本実施の形態に係る炊飯器に、コード部６４を介して電源を供給するものである。
【００１９】
ブッシュ６２は、プラグ部６５とコード部６４との接続部分に取り付けられており、この接続部分におけるコード部６４の折り曲げによるストレスを軽減するものである。
【００２０】
インレット構造体６３は、着脱式電源コード６１のプラグ部６５を差し込むためのインレット６３ａを有しており、プラグ部６５から供給される電源を、本実施の形態の炊飯器内の制御基板等の電気部品に展開供給する構造を有している。また、インレット構造体６３は、本体１の底面の角部近傍に、かつ、インレット６３ａへのプラグ部６５の差し込み方向が、本体１の幅方向及び奥行き方向の双方に対して傾斜した方向となるように配置されている。さらに、インレット構造体６３は、図３で示されるように、プラグ部６５がインレット６３ａに差し込まれた場合、着脱式電源コード６１のプラグ部６５及びブッシュ６２が、本体１の底面の投影面内に収まるように配置されている。
【００２１】
（実施の形態１の効果）
以上の構成のように、インレット構造体６３が、インレット６３ａへのプラグ部６５の差し込み方向が、本体１の幅方向及び奥行き方向の双方に対して傾斜した方向となるように配置され、かつ、プラグ部６５がインレット６３ａに差し込まれた場合、着脱式電源コード６１のプラグ部６５及びブッシュ６２が、本体１の底面の投影面内に収まるように配置されることによって、プラグ部６５とコード部６４との接続部分におけるコード部６４の折り曲げによるストレスを軽減することが可能となる。
【００２２】
また、インレット構造体６３が、本体１の底面の角部近傍に配置され、上記のようにプラグ部６５の差し込み方向が傾斜した方向となるように配置され、かつ、プラグ部６５及びブッシュ６２が本体１の底面の投影面内に収まるように配置されることによって、着脱式電源コード６１の本体１の幅方向及び奥行き方向の差し込み長さが、差し込み方向が幅方向の場合又は奥行き方向の場合の差し込み長さよりも短くなり、本体底面ケース８内におけるスペースを有効活用することができる。
【００２３】
さらに、インレット構造体６３が、プラグ部６５及びブッシュ６２が本体１の底面の投影面内に収まるように配置されることによって、プラグ部６５とコード部６４との接続部分であるブッシュ６２にご飯又は水がこぼれ落ちたりすることによる汚れが発生することを抑制することができ、汚れに対するリスクを軽減することができる。
【００２４】
なお、着脱式電源コード６１のプラグ部６５のインレット６３ａに対する差し込み方向は、本体底面ケース８の底面と平行である必要はなく、本体１を載置するのに支障がない範囲であれば、本体底面ケース８の底面との関係において、プラグ部６５のインレット６３ａに対する差し込み方向を限定するものではない。
【００２５】
また、図３〜図５で示されるように、本実施の形態に係る炊飯器の電源コードとして、本体１とは別体の着脱可能な着脱式電源コード６１としたが、これに限定されるものではない。すなわち、着脱式ではなく、固定接続された直付けタイプの電源コードとしてもよい。この場合も、固定接続部分が、本体１の角部近傍に配置され、電源コードの接続方向が上記と同様に傾斜した方向となるように配置され、かつ、ブッシュ等の接続部分が本体１の底面の投影面内に収まるように配置すれば、上記と同様の効果を得ることができる。ただし、本実施の形態のように、着脱式電源コード６１を採用することによって、着脱式電源コード６１の劣化及び損傷等により交換が可能であるという利点がある。また、着脱式電源コード６１を本体１から取り外した状態で、本体１の持ち運びが可能なので使い勝手が向上するという利点もある。
【符号の説明】
【００２６】
１  本体、２  蓋、４  操作部、５  蓋開きボタン、６  表示部、７  本体側面ケース、８  本体底面ケース、１１  内釜、１４  内蓋、６１  着脱式電源コード、６２  ブッシュ、６３  インレット構造体、６３ａ  インレット、６４  コード部、６５  プラグ部。
【図１】
2013062064.tif 000003
【図２】
2013062064.tif 000004
【図３】
2013062064.tif 000005
【図４】
2013062064.tif 000006
【図５】
2013062064.tif 000007
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
調理物が入れられる内釜を収容する本体と、
該本体の底面側に接続され、外部電源から前記本体への電源供給を媒介する電源コードと、
を備え、
前記電源コードは、前記本体に着脱自在に接続されるプラグ部、該プラグ部に接続されたコード部、及び、前記プラグ部と前記コード部との接続部分に取り付けられたブッシュを備えた着脱式電源コードであり、
前記本体の底面は略矩形状であり、
前記本体の底面には、前記プラグ部が差し込まれて接続されるインレットが形成され、
前記電源コードは、前記本体の底面の角部近傍に接続され、
前記プラグ部が前記インレットに接続された場合、前記プラグ部及び前記ブッシュが前記本体の底面の投影面内に収まる位置に前記インレットを配置した
ことを特徴とする炊飯器。
【請求項２】
前記電源コードの前記本体への接続方向が前記本体の幅方向及び奥行き方向の双方に対して傾斜した方向とした
ことを特徴とする請求項１記載の炊飯器。
【請求項３】
（削除）
【国際調査報告】
2013062064.tif 000008
2013062064.tif 000009
2013062064.tif 000010
2013062064.tif 000011